(57)【特許請求の範囲】
【請求項１】
光源、前記光源に電源を供給する電源装置、及び一面側に前記光源、他面側に前記電源装置がそれぞれ取り付けられる取付部材を有する光源ユニットと、
前記光源ユニット、及び外部からの電源ケーブルが接続される端子台が収容される収容部を有する器具本体と、
前記端子台と前記電源装置との間を電気的に接続するコネクタとを備え、
前記取付部材は、前記電源装置が取り付けられる他面側に、前記コネクタを仮止めする仮止め領域を有していることを特徴とする照明器具。
【請求項２】
前記コネクタは、粘着テープにより前記仮止め領域に仮止めされることを特徴とする請求項１記載の照明器具。
【請求項３】
前記コネクタは、配線止め具により前記仮止め領域に仮止めされることを特徴とする請求項１記載の照明器具。
【発明の詳細な説明】
【技術分野】
【０００１】
本発明は、一般に照明器具に関し、より詳細には器具本体側の端子台と光源ユニット側の電源装置との間をコネクタにより接続する照明器具に関する。
【背景技術】
【０００２】
従来、天井に直付けされる天井直付け型の照明器具が提供されている（例えば特許文献１参照）。特許文献１に記載された照明器具は、天井に直付けされる器具本体と、器具本体に対して着脱自在に取り付けられる光源ユニットとを備える。
【０００３】
器具本体は、外部からの電源ケーブルが接続される端子台を有している。光源ユニットは、基板に実装された複数のＬＥＤと、複数のＬＥＤに電源を供給する電源装置とを有している。そして、端子台と電源装置との間をコネクタにより接続することで、端子台と電源装置との間が電気的に接続され、電源ケーブル及び端子台を介して供給される外部電源が電源装置へと入力される。
【先行技術文献】
【特許文献】
【０００４】
【特許文献１】特許第５４８６７２７号公報
【発明の概要】
【発明が解決しようとする課題】
【０００５】
上述の特許文献１に示した照明器具では、例えば設計変更等によりコネクタの形状を変更する場合があり、旧型のコネクタと新型のコネクタとを接続する組み合わせも起こり得る。この場合、旧型のコネクタと新型のコネクタとの間を繋ぐ中継ケーブルが必要であり、中継ケーブルの分だけ配線長が長くなることから、中継ケーブルが邪魔になって作業性が低下する虞があった。
【０００６】
本発明は上記問題点に鑑みて為されており、作業性を向上させた照明器具を提供することを目的とする。
【課題を解決するための手段】
【０００７】
本発明の照明器具は、光源、前記光源に電源を供給する電源装置、及び一面側に前記光源、他面側に前記電源装置がそれぞれ取り付けられる取付部材を有する光源ユニットと、前記光源ユニット、及び外部からの電源ケーブルが接続される端子台が収容される収容部を有する器具本体と、前記端子台と前記電源装置との間を電気的に接続するコネクタとを備え、前記取付部材は、前記電源装置が取り付けられる他面側に、前記コネクタを仮止めする仮止め領域を有していることを特徴とする。
【発明の効果】
【０００８】
本発明の構成によれば、作業性を向上させた照明器具を提供することができるという効果がある。
【図面の簡単な説明】
【０００９】
【図１】本発明の実施形態に係る照明器具の要部を示す斜視図である。
【図２】本発明の実施形態に係る照明器具の分解斜視図である。
【図３】本発明の実施形態に係る照明器具の全体斜視図である。
【図４】本発明の実施形態に係る照明器具の断面図である。
【図５】図５Ａは本発明の実施形態に係る照明器具に用いられるコネクタの平面図、図５Ｂは正面図、図５Ｃは下面図である。
【図６】本発明の実施形態に係る照明器具の別の要部を示す斜視図である。
【発明を実施するための形態】
【００１０】
本発明の実施形態に係る照明器具１０について、図面を参照しながら具体的に説明する。但し、以下に説明する構成は、本発明の一例に過ぎず、本発明は下記の実施形態に限定されることなく、この実施形態以外であっても、本発明に係る技術的思想を逸脱しない範囲であれば、設計等に応じて種々の変更が可能である。
【００１１】
なお、以下の説明では特に断りがない限り、図４に示す向きにおいて上下・左右の各方向を規定し、さらに図４中の紙面に垂直な方向を前後方向（手前側が前側）と規定する。したがって、本実施形態では、器具本体１の長手方向が前後方向、器具本体１の短手方向（幅方向）が左右方向、器具本体１の高さ方向が上下方向となる。但し、これらの方向は照明器具１０の取付方向を規定するものではない。
【００１２】
本実施形態の照明器具１０は、図２に示すように天井直付け型の照明器具である。この照明器具１０は、吊ボルト２００及びナット２０１を用いて天井板１００の下面に取り付けられる器具本体１と、器具本体１に対して着脱自在に取り付けられる光源ユニット２とを備える。
【００１３】
器具本体１は、板金に曲げ加工することにより、前後方向に長く且つ上面が開口する扁平な箱形に形成されている。器具本体１の上下方向における天井板１００と反対側（下側）には、光源ユニット２を収容するための凹部１１（収容部）が器具本体１の全長に亘って設けられている。また、凹部１１の左右方向における両側には、凹部１１の開口端縁から延出し、且つ外側に行くほど上向きに傾斜する傾斜部１２，１２がそれぞれ設けられている（図４参照）。
【００１４】
凹部１１は、前後方向に長い矩形板状に形成された底壁部１１１と、底壁部１１１の左右方向における両端から下向きに突出する一対の側壁部１１２，１１２とで矩形状に形成されている。底壁部１１１には、電線を通すための孔１１１１が前後方向に沿って複数（図２では２個）設けられるとともに、吊ボルト２００を通すための孔１１１２が前後方向における両端寄りの位置にそれぞれ１個ずつ設けられている。
【００１５】
また、底壁部１１１には、天井板１００を通して室内側に露出する電源ケーブル４が接続される端子台１３が取り付けられている。この端子台１３は、直方体状に形成された本体部１３１を有し、本体部１３１には、接地線を含む３本の電線１３３が接続されている。また、これらの電線１３３の先端には、レセプタクルコネクタからなるコネクタ１３２が接続されている。
【００１６】
さらに、凹部１１の右側の側壁部１１２には、後述の引掛片４１，４１がそれぞれ引っ掛けられる孔１１２１，１１２１が、前後方向における両端寄りの位置にそれぞれ設けられている。また、凹部１１の左側の側壁部１１２には、後述の引掛ばね４２，４２がそれぞれ引っ掛けられる引掛金具４３，４３が、前後方向における両端寄りの位置にそれぞれ取り付けられている。
【００１７】
さらに、凹部１１には、各側壁部１１２から底壁部１１１に跨るように形成された開口部１１２２（図２では片側の開口部１１２２のみ図示）が、底壁部１１１に取り付けられた端子台１３の近傍にそれぞれ設けられている。つまり、本実施形態では、凹部１１の側壁部１１２と側壁部１１２から連続する傾斜部１２とで囲まれる空間１２１（図４参照）と凹部１１とが開口部１１２２により繋がっている。ここに、空間１２１は、照明器具１０を長手方向に並設した場合に施工される送り配線を通すための配線空間を形成する。
【００１８】
器具本体１の前後方向における両端部には、図２及び図３に示すようにエンドカバー３がそれぞれ取り付けられる。各エンドカバー３は、器具本体１の前後方向における断面形状と略同じ外形形状に形成され、器具本体１の前後方向における両端部の開口を閉塞するように取り付けられる。また、各エンドカバー３は、左右方向における両端寄りの位置にノックアウト孔３１，３１を有している。そして、これらのノックアウト孔３１，３１を開けることで、空間１２１内を通した送り配線を外部へ引き出すことができる。
【００１９】
光源ユニット２は、図２及び図４に示すように、ＬＥＤモジュール２２（光源）と、ＬＥＤモジュール２２が取り付けられる取付部材２１と、ＬＥＤモジュール２２を覆うようにして取付部材２１に取り付けられるカバー２３とを有する。また、光源ユニット２は、ＬＥＤモジュール２２に電源を供給する電源装置２４と、天井板１００を通して室内側に露出する信号ケーブル５が接続される端子台２５とを有する。
【００２０】
ＬＥＤモジュール２２は、前後方向に長い矩形板状に形成された基板２２１を有する。基板２２１の下面には、複数のＬＥＤ（発光ダイオード）２２２が前後方向（長手方向）に沿って実装されている。また、基板２２１の前端部には、電源装置２４との間を電気的に接続するコネクタ（図示せず）が実装されている。このコネクタには電線（図示せず）が接続されており、電線の端部を電源装置２４に接続することでＬＥＤモジュール２２と電源装置２４とが電気的に接続される。
【００２１】
取付部材２１は、板金に曲げ加工することによりＵ字状に形成され、前後方向に長い矩形板状に形成された底面部２１１と、底面部２１１の左右方向（幅方向）における両端から上向きに突出する一対の側面部２１２，２１２とで構成される。各側面部２１２の先端（上端）には、円形に折り曲げることにより形成された引掛部２１２１が全長に亘って設けられている（図４参照）。
【００２２】
また、底面部２１１の左端部には、器具本体１の引掛金具４３，４３にそれぞれ引っ掛けられる引掛ばね４２，４２が、前後方向における両端寄りの位置にそれぞれ設けられている。さらに、底面部２１１の右端部には、器具本体１の孔１１２１，１１２１にそれぞれ引っ掛けられる引掛片４１，４１が、前後方向における両端寄りの位置にそれぞれ設けられている。
【００２３】
カバー２３は、拡散性を有する材料（例えば乳白色のアクリル樹脂）からなり、前後方向に長く且つ上面（取付部材２１側の面）が開口する箱形に形成されている（図２〜図４参照）。また、カバー２３は、左右方向（幅方向）において両端部から中央部に近づくほど下側への突出量が大きくなるような凸レンズ形状の曲面部２３１を有している（図４参照）。
【００２４】
カバー２３の左右方向における両端部には、図４に示すように、光源ユニット２を器具本体１に取り付けた状態で、上下方向において器具本体１の凹部１１の開口端縁と重なる延出部２３２がそれぞれ設けられている。さらに、カバー２３の左右方向において各延出部２３２の内側には、上向き（取付部材２１側）に突出する突壁部２３３がそれぞれ全長に亘って設けられている。各突壁部２３３の先端（上端）には、内向きに突出する突起部２３３１が設けられている。
【００２５】
電源装置２４は、板金に曲げ加工することにより、前後方向に長く且つ下面が開口する箱形に形成されたケース２４１を有する。ケース２４１の左側面部には、左向きに突出し且つその先端が上向きに突出するＬ字状の延出部２４３が一体に設けられている。そして、ケース２４１の左側面部と延出部２４３とでＵ字状の溝部２４６が形成され、例えば配線スペースとして利用される。
【００２６】
このケース２４１の内部には、ＬＥＤモジュール２２への供給電源を生成するための電源回路を構成する電子部品が実装された基板（図示せず）が収納される。また、基板の入力端には、接地線を含む３本の電線２４３が接続されており、これらの電線２４３の先端にはコネクタ２４２が接続されている。
【００２７】
次に、光源ユニット２の組立手順について説明する。まず最初に、作業者は、取付部材２１の上面側に電源装置２４を取り付けるとともに、ＬＥＤ２２２が下側を向くようにして取付部材２１の底面部２１１の下面にＬＥＤモジュール２２を取り付ける。このとき、作業者は、例えば取付部材２１の底面部２１１の一部を切り起こすことで形成された爪（図示せず）を用いて、取付部材２１の底面部２１１にＬＥＤモジュール２２を固定する。
【００２８】
さらに、作業者は、ＬＥＤモジュール２２の基板２２１に実装されたコネクタ（図示せず）より引き出された電線（図示せず）を電源装置２４に接続する。そして最後に、作業者は、開口側を上向きにした状態でカバー２３を取付部材２１に取り付ける。このとき、カバー２３の各突壁部２３３の突起部２３３１が、取付部材２１の対応する側面部２１２の引掛部２１２１に引っ掛かることで、カバー２３が取付部材２１に取り付けられる。以上のような手順に従って、光源ユニット２が組み立てられる。
【００２９】
続けて、照明器具１０の施工手順について説明する。なお、以下では、端子台１３が予め器具本体１に取り付けられているものとして説明する。
【００３０】
まず最初に、施工者は、天井板１００を通して室内側に露出する電源ケーブル４及び信号ケーブル５をそれぞれ器具本体１の孔１１１１，１１１１に通すとともに、天井板１００を通して室内側に露出する吊ボルト２００，２００を孔１１１２，１１１２に通す。さらに、施工者は、各吊ボルト２００にワッシャー２０２を通した後、ナット２０１を各吊ボルト２００にねじ込んで器具本体１を天井板１００の下面に固定する。
【００３１】
その後、施工者は、電源ケーブル４の端部を端子台１３に接続するとともに、光源ユニット２の各引掛片４１を器具本体１の対応する孔１１２１に引っ掛けて、光源ユニット２を器具本体１に仮保持させる。次に、施工者は、光源ユニット２を器具本体１に仮保持させた状態のまま、端子台１３のコネクタ１３２を電源装置２４のコネクタ２４２に接続するとともに、信号ケーブル５を端子台２５に接続する。
【００３２】
そして最後に、施工者は、器具本体１の孔１１２１，１１２１を支点として光源ユニット２を左右方向に回転させ、光源ユニット２を器具本体１に取り付ける。このとき、光源ユニット２の各引掛ばね４２が器具本体１の対応する引掛金具４３に引っ掛かることで、光源ユニット２が器具本体１に取り付けられる。以上のような手順に従って、照明器具１０の施工が完了する（図３及び図４参照）。
【００３３】
ところで、上述の照明器具１０では、例えば設計変更等によりコネクタの形状を変更する場合があり、器具本体１と光源ユニット２の組み合わせによっては旧型のコネクタと新型のコネクタとを接続する組み合わせも起こり得る。そしてこの場合、旧型のコネクタと新型のコネクタとの間を繋ぐ中継ケーブルが必要になる。
【００３４】
図１は本実施形態の照明器具１０の要部を示す斜視図である。本実施形態では、電源装置２４に接続されたコネクタ２４２を旧型のプラグコネクタとし、端子台１３に接続されたコネクタ１３２を新型のレセプタクルコネクタとしている。従って、このままではコネクタ２４２とコネクタ１３２とを接続することはできない。
【００３５】
そこで、本実施形態では、ネクタ２４２とコネクタ１３２との間を繋ぐ中継ケーブル２６を使用している。この中継ケーブル２６は、接地線を含む３本の電線２６１の一端にコネクタ２６２が取り付けられるとともに、他端にコネクタ２６３が取り付けられている。コネクタ２６２は、プラグコネクタであって、端子台１３に接続されたコネクタ１３２が着脱自在に接続される。また、コネクタ２６３は、レセプタクルコネクタであって、電源装置２４に接続されたコネクタ２４２が着脱自在に接続される。
【００３６】
中継ケーブル２６の一方のコネクタ２６２は、図５Ａ〜図５Ｃに示すように、上下方向に扁平な直方体状に形成されたコネクタ本体２６２１を有する。コネクタ本体２６２１の一面（コネクタ１３２との対向面）には、互いに隔離された３つの凹部２６２１ａが左右方向に並べて設けられている。そして、各凹部２６２１ａの内部には、コネクタ１３２の接続端子（図示せず）と電気的に接続される接続端子２６２２がそれぞれ収納されている。
【００３７】
ところで、このような中継ケーブル２６を使用した場合、中継ケーブル２６の分だけ配線長が長くなる。そのため、光源ユニット２を器具本体１に組み付ける際に中継ケーブル２６が邪魔になり、組付作業性が低下する虞がある。そこで、本実施形態では、コネクタ２６２のコネクタ本体２６２１の下面に粘着テープ２７（図５Ｃ参照）を取り付けており、この粘着テープ２７によって取付部材２１の底面部２１１の上面にコネクタ２６２を仮止めしている（図１参照）。
【００３８】
上述のように、取付部材２１の底面部２１１の上面にコネクタ２６２を仮止めすることで、光源ユニット２を器具本体１に組み付ける際に中継ケーブル２６が邪魔にならず、組付作業性を向上させることができる。ここに、本実施形態では、取付部材２１の底面部２１１の上面であって、且つ前後方向における端子台１３と電源ケーブル４との間の領域が仮止め領域２１３となっている。なお、図１では２本の電源ケーブル４を図示しているが、そのうちの１本は隣接する照明器具（図示せず）への送り配線である。
【００３９】
図１に示す例では、仮止め領域２１３において粘着テープ２７によりコネクタ２６２を仮止めしたが、図６に示すように、仮止め領域２１３においてコードキープ２８（配線止め具）によりコネクタ２６２を仮止めしてもよい。この場合も同様に、光源ユニット２を器具本体１に組み付ける際に中継ケーブル２６が邪魔にならず、組付作業性を向上させることができる。
【００４０】
また、本実施形態のように、粘着テープ２７やコードキープ２８によりコネクタ２６２を仮止めすることで、仮止め領域２１３に対してコネクタ２６２を簡単に仮止めすることができる。
【００４１】
なお、本実施形態では、コードキープ２８を配線止め具としたが、例えば針金や結束バンドなどを配線止め具としてもよく、本実施形態に限定されない。
【００４２】
以上説明したように、本実施形態の照明器具１０は、光源ユニット２と、器具本体１と、コネクタ２６２とを備える。光源ユニット２は、ＬＥＤモジュール２２（光源）と、電源装置２４と、取付部材２１とを有する。電源装置２４は、ＬＥＤモジュール２２に電源を供給する。取付部材２１は、一面側にＬＥＤモジュール２２、他面側に電源装置２４がそれぞれ取り付けられる。器具本体１は、光源ユニット２、及び外部からの電源ケーブル４が接続される端子台１３が収容される凹部１１（収容部）を有する。コネクタ２６２は、端子台１３と電源装置２４との間を電気的に接続する。また、取付部材２１は、電源装置２４が取り付けられる他面側に、コネクタ２６２を仮止めする仮止め領域２１３を有している。
【００４３】
上記構成によれば、コネクタ２６２を仮止め領域２１３に仮止めすることで、光源ユニット２を器具本体１に組み付ける際に中継ケーブル２６が邪魔にならず、組付作業性を向上させることができる。
【００４４】
また、本実施形態の照明器具１０のように、コネクタ２６２は、粘着テープ２７により仮止め領域２１３に仮止めされるのが好ましい。
【００４５】
上記構成によれば、粘着テープ２７を用いることで、仮止め領域２１３に対してコネクタ２６２を簡単に仮止めすることができる。
【００４６】
また、本実施形態の照明器具１０のように、コネクタ２６２は、コードキープ２８（配線止め具）により仮止め領域２１３に仮止めされるのが好ましい。
【００４７】
上記構成によれば、コードキープ２８を用いることで、仮止め領域２１３に対してコネクタ２６２を簡単に仮止めすることができる。
【符号の説明】
【００４８】
１  器具本体
２  光源ユニット
４  電源ケーブル
１０  照明器具
１１  凹部（収容部）
１３  端子台
２１  取付部材
２２  ＬＥＤモジュール（光源）
２４  電源装置
２１３  仮止め領域
２６２  コネクタ
【図１】
0006493824.tif 000002
【図２】
0006493824.tif 000003
【図３】
0006493824.tif 000004
【図４】
0006493824.tif 000005
【図５】
0006493824.tif 000006
【図６】
0006493824.tif 000007